(57)【要約】【課題】暗所や夜間作業の現場で使用することができ、操作性、携帯性に優れたルーペの提供を目的とする。【解決手段】ルーペ１は、平面瓢箪形からなる上下一対の支持片２Ａ，２Ｂからなる支持ケース３を備えてなる。上下一対の支持片２Ａ，２Ｂの間には間隙部４が備えられ、支持ケース３の一対の支持片２Ａ，２Ｂ間の間隙部４には、レンズ体５が配設される。レンズ体５には、レンズ部７に対して照明光を発光可能なＬＥＤ発光素子８を備えるようにしている。【選択図】図１
0003173371.tif 000002
【実用新案登録請求の範囲】
【請求項１】
上下一対の支持片の間に間隙部を備えてなる支持ケースと、支持ケースの一対の支持片間の間隙部に配設され、レンズ部とレンズ部を支持するフレーム部とを備えてなるレンズ体と、を備え、レンズ体は支持ケースの間隙部においてレンズ部が一対の支持片間に収容される収容位置と、レンズ部を支持片の間から外方へと進出させ、該レンズ部をルーペとして使用可能な状態とする開放位置と、の間でフレーム部を支持ケースに対して回動可能に軸支させることとしてなるルーペにおいて、
レンズ体には、レンズ部に対して照明光を発光可能なＬＥＤ発光素子を備えるようにするとともに、支持ケースにはＬＥＤ発光素子に対して電力を供給する電池を支持する電池収容部を備えることとし、支持ケースにおける上記レンズ体のフレーム部を軸支する軸支部には、電池収容部に収容される電池から電力を供給する固定接点をその周方向に沿って備えることとし、一方該軸支部に対して回動可能に支持されるレンズ体のフレーム部における被軸支部には、レンズ部が一対の支持片間に収容される収容位置においては上記固定接点と接触せず、固定接点から供給される電力をＬＥＤ発光素子に供給しないようにし、レンズ部を支持片の間から外方へと進出させ、該レンズ部をルーペとして使用可能な状態とする開放位置においては上記固定接点と接触し、固定接点から供給される電力をＬＥＤ発光素子に供給し、該ＬＥＤ発光素子を発光させることを可能とした可動接点を備えることを特徴とするルーペ。
【請求項２】
レンズ体は、レンズ部とレンズ部を支持するフレーム部の全体を透明な合成樹脂材で一体形成してなる請求項１に記載のルーペ。
【考案の詳細な説明】
【技術分野】
【０００１】
本考案は、暗部でも使用可能で使い勝手のよいルーペに関する。
【背景技術】
【０００２】
ルーペには、様々なタイプのものが存在するが、例えば下記特許文献１に示すルーペは、上下一対の支持片の間に間隙部を備えてなる支持ケースと、支持ケースの一対の支持片間の間隙部に配設され、レンズ部とレンズ部を支持するフレーム部とを備えてなるレンズ体と、を備え、レンズ体は支持ケースの間隙部においてレンズ部が一対の支持片間に収容される収容位置と、レンズ部を支持片の間から外方へと進出させ、該レンズ部をルーペとして使用可能な状態とする開放位置と、の間でフレーム部を支持ケースに対して回動可能に軸支させるようにしている。
【先行技術文献】
【特許文献】
【０００３】
【特許文献１】実開昭６４−３０５２６号公報
【０００４】
こうした構造のルーペによれば、例えばポケットやハンドバッグの中に入れて携帯することが可能とされ、使用時においてポケットなどから出してレンズ部を開放位置に位置決めし、新聞や本を読むのに用いることができる。使用が済んだら再びレンズ部を一対の支持片間に収容される収容位置に位置決めすることが可能となり、使用していない状態において、レンズ部を傷つけることなく、しまっておくことができる。
【考案の概要】
【考案が解決しようとする課題】
【０００５】
ところで上記各特許文献１に代表されるルーペは、レンズ体を支持ケースの間隙部に収容することができるところではあるが、最近ルーペを使用するユーザにおいて例えば避難所などの暗所や夜間作業の現場で使用する場合、懐中電灯を併用しなければならず不便である旨の声が寄せられ、本願提案者において改良を試みた次第である。
【０００６】
すなわち本考案は、暗所や夜間作業の現場で使用することができ、操作性、携帯性に優れたルーペの提供を目的とするものである。
【課題を解決するための手段】
【０００７】
上記目的を達成するため、本考案の請求項１のルーペは、上下一対の支持片の間に間隙部を備えてなる支持ケースと、支持ケースの一対の支持片間の間隙部に配設され、レンズ部とレンズ部を支持するフレーム部とを備えてなるレンズ体と、を備え、レンズ体は支持ケースの間隙部においてレンズ部が一対の支持片間に収容される収容位置と、レンズ部を支持片の間から外方へと進出させ、該レンズ部をルーペとして使用可能な状態とする開放位置と、の間でフレーム部を支持ケースに対して回動可能に軸支させることとしてなるルーペにおいて、レンズ体には、レンズ部に対して照明光を発光可能なＬＥＤ発光素子を備えるようにするとともに、支持ケースにはＬＥＤ発光素子に対して電力を供給する電池を支持する電池収容部を備えることとし、支持ケースにおける上記レンズ体のフレーム部を軸支する軸支部には、電池収容部に収容される電池から電力を供給する固定接点をその周方向に沿って備えることとし、一方該軸支部に対して回動可能に支持されるレンズ体のフレーム部における被軸支部には、レンズ部が一対の支持片間に収容される収容位置においては上記固定接点と接触せず、固定接点から供給される電力をＬＥＤ発光素子に供給しないようにし、レンズ部を支持片の間から外方へと進出させ、該レンズ部をルーペとして使用可能な状態とする開放位置においては上記固定接点と接触し、固定接点から供給される電力をＬＥＤ発光素子に供給し、該ＬＥＤ発光素子を発光させることを可能とした可動接点を備えることとしている。
【０００８】
また本考案の請求項２のルーペは、レンズ体を、レンズ部とレンズ部を支持するフレーム部の全体を透明な合成樹脂材で一体形成することとしている。
【考案の効果】
【０００９】
本考案によれば、暗所や夜間作業の現場で使用する場合、ポケットなどから出してレンズ部を開放位置に位置決めするように回動させ、ＬＥＤ発光素子においてレンズ部に対して照明光を発光させることが可能となる。また、使用が済んだら再びレンズ部を一対の支持片間に収容される収容位置に回動させて位置決めすることでＬＥＤ発光素子への電力供給を遮断し、使用していない状態において、レンズ部を傷つけることなく、しまっておくことができる。したがって、操作性、携帯性に優れたルーペの提供ができるという効果がある。
【図面の簡単な説明】
【００１０】
【図１】本考案の実施形態に係るルーペの全体を示し、レンズ部を開放位置に位置決めした状態に係る斜視図である。
【図２】支持ケースにおいて電池収容部に電池を収容した状態を示す斜視図である。
【図３】支持ケースの表面においてデコレーションチップを嵌め込む状態を示す斜視図である。
【図４】ルーペの裏面側を上方にした分解状態を示す斜視図である。
【図５】ルーペの表面側を上方にした分解状態を示す斜視図である。
【図６】図３のＶＩ−ＶＩ線に沿う断面図である。
【図７】図１のＶＩＩ−ＶＩＩ線に沿う断面図である。
【考案を実施するための形態】
【００１１】
以下、本考案の実施形態としてのルーペを、図１ないし図７に基づいて説明する。実施形態に係るルーペ１は、図１に示すように平面瓢箪形からなる上下一対の支持片２Ａ，２Ｂからなる支持ケース３を備えてなる。上下一対の支持片２Ａ，２Ｂの間には間隙部４が備えられ、支持ケース３の一対の支持片２Ａ，２Ｂ間の間隙部４には、図１に示すようにレンズ体５が配設される。
【００１２】
レンズ体５は、図１に示すように平面瓢箪形からなる一方の円部の中心Ｏを基準に平面θ１あるいはθ２方向に、上下一対の支持片２Ａ，２Ｂからなる支持ケース３に対して回動可能に軸支される。レンズ体５は、支持ケース３に対して回動可能に軸支される基端部にフレーム部６を、先端側にレンズ部７を備えてなり、レンズ部７とレンズ部７を支持するフレーム部６からなるレンズ体５は、図４あるいは図５に示す分解状態で明らかなように略平面長円形状とされ、全体を透明な合成樹脂材で一体形成するようにしている。
【００１３】
レンズ体５は、支持ケース３の間隙部４において、先端のレンズ部７が一対の支持片２Ａ，２Ｂ間に収容される収容位置（図３，図６に示す位置）と、先端のレンズ部７を支持片２Ａ，２Ｂの間から外方へと進出させ、該レンズ部７を拡大レンズの機能を有するルーペとして使用可能な状態とする開放位置（図１，図７に示す位置）と、の間でフレーム部６を支持ケース３に対して回動可能に軸支させることとしている。
【００１４】
こうした構成からなるルーペ１において、レンズ体５には、レンズ部７に対して照明光を発光可能なＬＥＤ発光素子８を備えるようにしている。ルーペ１には、図２に示す組立状態における下面側（裏面側）において、支持ケース３の支持片２Ｂに、上記ＬＥＤ発光素子８に対して電力を供給する電池９を収納・支持する電池収容部１０を備えることとしている。電池収容部１０は蓋１１を開けた支持片２Ｂの内部に備えられ、ボタン状の電池９は電池収容部１０に収容され、蓋１１をネジ１２で閉めるようにして閉塞状態を保持されることとなる（図６，図７参照）。
【００１５】
上記レンズ体５のフレーム部６には、被軸支部としての平面環状の孔部１３（図４，図５参照）が形成される。一方、支持ケース３においては、孔部１３を軸支する軸支部１４が形成され、該軸支部１４は、支持片２Ａの下面（図４参照）において、孔部１３に対して嵌合可能な円形の突条１４Ａと、支持片２Ｂの電池収容部１０の下面（図５参照）において、孔部１３に対して嵌合可能な円形の突条１４Ｂとからなる。この各突条１４Ａ，１４Ｂの外周部に孔部１３が嵌合された状態において、突条１４Ｂに備えられるネジ挿通穴１５にネジ１６が挿通され、さらに該ネジ１６の先端は突条１４Ａに形成されるネジ孔２２に対して螺着されることとなる（図４参照）。こうして一体化される支持片２Ａ，２Ｂの間において間隙部４が形成され、支持ケース３の該間隙部４において、レンズ体５の孔部１３が軸支部１４に軸支されることとなる。これにより、図１の中心Ｏを基準にレンズ体５が、平面θ１あるいはθ２方向に回動可能に支持されることとなる。
【００１６】
電池収容部１０に収容される電池９のうち、一方の電池の電極（図４，図５に示す−電極）と接続する接点１７は、上記軸支部１４の支持片２Ａ側に備えられる突条１４Ａの周方向全体に形成され、備えられる固定接点１８Ａと接続される。これに対し、電池収容部１０に収容される電池９のうち、他方の電池の電極（図４，図６，図７に示す＋電極）と接続する接点２０は、上記軸支部１４の支持片２Ｂ側に備えられる突条１４Ｂの外側における周方向θ３の領域に形成され、備えられる固定接点１８Ｂと接続される。すなわち、各固定接点１８Ａ，１８Ｂは、電池収容部１０に収容される電池９から電力を供給するものとされる。
【００１７】
一方、上記軸支部１４に対して回動可能に支持されるレンズ体５のうち、フレーム部６における被軸支部としての孔部１３の一方の面（図４参照）には、レンズ部７に対して照明光を発光可能なＬＥＤ発光素子８と電気的に導通する可動接点１９Ａが備えられる。また、孔部１３の他方の面（図５参照）にも、レンズ部７に対して照明光を発光可能なＬＥＤ発光素子８と電気的に導通する可動接点１９Ｂが備えられる。このうち、可動接点１９Ａは上記軸支部１４の支持片２Ａ側に備えられる突条１４Ａにおいて、その外方における周方向全体に形成される固定接点１８Ａと常時接続される。すなわち、可動接点１９Ａは、レンズ部７が一対の支持片２Ａ，２Ｂ間に収容される収容位置においても上記固定接点１８Ａと接触し、固定接点１８Ａから供給される電池９の電力を、常時ＬＥＤ発光素子８に供給するようにしている。
【００１８】
これに対して、可動接点１９Ｂは上記軸支部１４の支持片２Ｂ側に備えられる突条１４Ｂにおいて、その外方におけるの周方向の一部の角度領域θ３に形成される固定接点１８Ｂと接触し、その部分と接続する状態においてのみ、固定接点１８Ｂから供給される電力をＬＥＤ発光素子８に供給することを可能にしている。この結果、実施形態に係るルーペ１においては、レンズ部７を各支持片２Ａ，２Ｂの間から外方へと進出させ、該レンズ部７をルーペとして使用可能な状態（固定接点１８Ｂと可動接点１９Ｂが接触する可動接点１９Ｂが形成される角度領域θ３にある状態）の開放位置（図１，図７に示す位置）において、上記可動接点１９Ｂが固定接点１８Ｂと接触し、固定接点１８Ｂから供給される電池９の電力をＬＥＤ素子８に供給して、該ＬＥＤ素子８を発光させることを可能としている。
【００１９】
こうした構成からなるルーペ１によれば、暗所や夜間作業の現場で使用する場合、ポケットなどから出してレンズ部７を例えば図１に示すような開放位置に、位置決めするように回動させ、ＬＥＤ発光素子８においてレンズ部７に対して照明光を発光させることが可能となる。また、使用が済んだら再びレンズ部７を一対の支持片２Ａ，２Ｂ間に収容される収容位置（図３参照）に回動させて位置決めすることが可能となる。この状態でＬＥＤ発光素子８への電力供給を遮断することが可能となり、使用していない状態においてレンズ部７を傷つけることなく、しまっておくことができる。したがって、操作性、携帯性に優れたルーペの提供が可能となる。
【００２０】
また実施形態に係るルーペ１は、図３に示すように支持ケース３における支持片２Ａの表面において、様々な装飾を施したデコレーションチップ２１を嵌め込むことが可能とされ、予め複数のデコレーションチップ２１を用意し、用途や使用する者の好みに合わせてデコレーションチップ２１を交換自在に支持片２Ａの表面に嵌め込むことを可能にしている。
【産業上の利用可能性】
【００２１】
本考案は、特に暗所やプライベートな空間において使用するのに好適とされ、例えば避難所、夜間の作業現場において利用するのに便利とされる。
【符号の説明】
【００２２】
１                      ルーペ
２Ａ，２Ｂ              支持片
３                      支持ケース
４                      間隙部
５                      レンズ体
６                      フレーム部
７                      レンズ部
８                      ＬＥＤ発光素子
９                      電池
１０                    電池収容部
１１                    蓋
１２                    ネジ
１３                       孔部
１４                    軸支部
１４Ａ，１４Ｂ          突条
１５                    ネジ挿通穴
１６                    ネジ
１７，２０              接点
１８Ａ，１８Ｂ          固定接点
１９Ａ，１９Ｂ          可動接点
２１                    デコレーションチップ
２２                    ネジ孔
【図１】
0003173371.tif 000003
【図２】
0003173371.tif 000004
【図３】
0003173371.tif 000005
【図４】
0003173371.tif 000006
【図５】
0003173371.tif 000007
【図６】
0003173371.tif 000008
【図７】
0003173371.tif 000009